【手続補正書】
【提出日】平成16年8月26日(2004.8.26)
【手続補正１】
【補正対象書類名】明細書
【補正対象項目名】発明の名称
【補正方法】変更
【補正の内容】
【発明の名称】画像処理装置および画像処理方法および記憶媒体およびプログラム
【手続補正２】
【補正対象書類名】明細書
【補正対象項目名】特許請求の範囲
【補正方法】変更
【補正の内容】
【特許請求の範囲】
【請求項１】
被写体を撮像する撮像手段と、前記撮像手段により撮像される画像を静止画として記録可能な第１の記録媒体と、前記第１の記録媒体に静止画を撮影・記録する静止画撮影モードと前記第１の記録媒体に記録した静止画を再生する静止画再生モードとを切り替えて再生した画像を表示する表示手段とを有する画像処理装置であって、
前記第１の記録媒体に記録する静止画に対するプリントの要否を記述した所定のプリント指定ファイルを作成する作成手段と、
前記作成手段により作成された前記所定のプリント指定ファイルを前記第１の記録媒体に登録する第１のファイル登録手段と、
前記静止画再生モードが選択された場合に、前記第１の記録媒体に登録された前記所定のプリント指定ファイルに基づき、前記第１の記録媒体に登録されたいずれかの静止画を前記表示手段に再生する第１の制御手段と、
を有することを特徴とする画像処理装置。
【請求項２】
前記所定のプリント指定ファイルは、前記第１の記録媒体に記録された静止画の再生順序が記述されていることを特徴とする請求項１記載の画像処理装置。
【請求項３】
前記撮像手段により撮像される画像を動画あるいは静止画として記録可能な第２の記録媒体を有することを特徴とする請求項１記載の画像処理装置。
【請求項４】
前記第１または第２の記録媒体から読み出される静止画，前記撮像手段により撮像される画像の静止画を組み合わせるミックス画像を生成する画像生成手段と、前記画像生成手段により前記ミックス画像が生成された場合に、該ミックス画像に対する所定のプリント指定ファイルを作成して前記第１または第２の記録媒体に登録する第２のファイル登録手段と、前記第２のファイル登録手段により前記第１の記録媒体に登録された前記所定のプリント指定ファイルに基づき、前記第１の記録媒体に登録されたいずれかの静止画を前記表示手段に再生する第２の制御手段と、を有することを特徴とする請求項１記載の画像処理装置。
【請求項５】
前記第２の制御手段は、前記ミックス画像を構成する各静止画に対する指定情報及びミックス方法、再生位置、再生サイズが記述された所定のプリント指定ファイルを作成して前記第１または第２の記録媒体に登録することを特徴とする請求項４記載の画像処理装置。
【請求項６】
被写体を撮像する撮像手段と、前記撮像手段により撮像される画像を静止画として記録可能な第１の記録媒体と、前記撮像手段により撮像される画像を動画あるいは静止画として記録可能な第２の記録媒体と、前記第１の記録媒体に静止画を撮影・記録する静止画撮影モードと前記第１の記録媒体に記録した静止画を再生する静止画再生モードとを切り替えて再生した画像を表示する表示手段とを有する画像処理装置であって、
前記第１の記録媒体に記録する静止画に対するプリントの要否を記述した所定のプリント指定ファイルを作成する作成手段と、
前記作成手段により作成された前記所定のプリント指定ファイルを前記第１の記録媒体に登録するファイル登録手段と、設定される複写モードに従い、前記所定のプリント指定ファイルに記述されている内容に従って前記第１の記録媒体に記録されている静止画を前記第２の記録媒体に複写する第３の制御手段と、
を有することを特徴とする画像処理装置。
【請求項７】
前記第３の制御手段は、前記所定のプリント指定ファイルに記述されている内容に従って前記第１の記録媒体に記録されている静止画を前記第２の記録媒体に複写した後、前記第１の記録媒体に記録されている静止画をすべて消去することを特徴とする請求項６記載の画像処理装置。
【請求項８】
前記第３の制御手段は、前記所定のプリント指定ファイルに記述されている内容に従って前記第１の記録媒体に記録されている静止画を前記第２の記録媒体に複写した後、前記第１の記録媒体に記録されている静止画中の複写された静止画を消去することを特徴とする請求項６記載の画像処理装置。
【請求項９】
前記所定のプリント指定ファイルは、ＤＰＯＦファイルに準拠するファイル形式であることを特徴とする請求項１〜８のいずれかに記載の画像処理装置。
【請求項１０】
前記第１の記録媒体は、画像処理装置本体より着脱自在の不揮発性メモリ媒体で構成されることを特徴とする請求項１〜９のいずれかに記載の画像処理装置。
【請求項１１】
前記第２の記録媒体は、画像処理装置本体より着脱自在の不揮発性テープ媒体で構成されることを特徴とする請求項１〜７のいずれかに記載の画像処理装置。
【請求項１２】
前記撮像手段は、被写体を動画として撮像するビデオモードと、前記被写体を静止画として撮像するスチルモードとを有することを特徴する請求項１，３，６のいずれかに記載の画像処理装置。
【請求項１３】
前記第１または第２の記録媒体に記録された所定のプリント指定ファイルをデータ処理装置に送信する送信手段を有することを特徴とする請求項１〜１２のいずれかに記載の画像処理装置。
【請求項１４】
被写体を撮像する撮像手段と、前記撮像手段により撮像される画像を静止画として記録可能な第１の記録媒体と、前記第１の記録媒体に静止画を撮影・記録する静止画撮影モードと前記第１の記録媒体に記録した静止画を再生する静止画再生モードとを切り替えて再生した画像を表示する表示手段とを有する画像処理装置における画像処理方法であって、
前記第１の記録媒体に記録する静止画に対するプリントの要否を記述した所定のプリント指定ファイルを作成する作成ステップと、
前記作成ステップにより作成された前記所定のプリント指定ファイルを前記第１の記録媒体に登録する第１のファイル登録ステップと、
前記静止画再生モードが選択された場合に、前記第１の記録媒体に登録された前記所定のプリント指定ファイルに基づき、前記第１の記録媒体に登録されたいずれかの静止画を前記表示手段に再生する第１の制御ステップと、
を有することを特徴とする画像処理方法。
【請求項１５】
前記所定のプリント指定ファイルは、前記第１の記録媒体に記録された静止画の再生順序が記述されていることを特徴とする請求項１４記載の画像処理方法。
【請求項１６】
前記撮像手段により撮像される画像を動画あるいは静止画として記録可能な第２の記録媒体を有することを特徴とする請求項１４記載の画像処理方法。
【請求項１７】
前記第１または第２の記録媒体から読み出される静止画，前記撮像手段により撮像される画像の静止画を組み合わせるミックス画像を生成する画像生成ステップと、前記画像生成ステップにより前記ミックス画像が生成された場合に、該ミックス画像に対する所定のプリント指定ファイルを作成して前記第１または第２の記録媒体に登録する第２のファイル登録ステップと、
前記第２のファイル登録ステップにより前記第１の記録媒体に登録された前記所定のプリント指定ファイルに基づき、前記第１の記録媒体に登録されたいずれかの静止画を前記表示手段に再生する第２の制御ステップと、
を有することを特徴とする請求項１４記載の画像処理方法。
【請求項１８】
前記第２の制御ステップは、前記ミックス画像を構成する各静止画に対する指定情報及びミックス方法、再生位置、再生サイズが記述された所定のプリント指定ファイルを作成して前記第１または第２の記録媒体に登録することを特徴とする請求項１７記載の画像処理方法。
【請求項１９】
被写体を撮像する撮像手段と、前記撮像手段により撮像される画像を静止画として記録可能な第１の記録媒体と、前記撮像手段により撮像される画像を動画あるいは静止画として記録可能な第２の記録媒体と、前記第１の記録媒体に静止画を撮影・記録する静止画撮影モードと前記第１の記録媒体に記録した静止画を再生する静止画再生モードとを切り替えて再生した画像を表示する表示手段とを有する画像処理装置における画像処理方法であって、
前記第１の記録媒体に記録する静止画に対するプリントの要否を記述した所定のプリント指定ファイルを作成する作成ステップと、
前記作成ステップにより作成された前記所定のプリント指定ファイルを前記第１の記録媒体に登録する第１のファイル登録ステップと、
設定される複写モードに従い、前記所定のプリント指定ファイルに記述されている内容に従って前記第１の記録媒体に記録されている静止画を前記第２の記録媒体に複写する第３の制御ステップと、
を有することを特徴とする画像処理方法。
【請求項２０】
前記第３の制御ステップは、前記所定のプリント指定ファイルに記述されている内容に従って前記第１の記録媒体に記録されている静止画を前記第２の記録媒体に複写した後、前記第１の記録媒体に記録されている静止画をすべて消去することを特徴とする請求項１９記載の画像処理装置。
【請求項２１】
前記第３の制御ステップは、前記所定のプリント指定ファイルに記述されている内容に従って前記第１の記録媒体に記録されている静止画を前記第２の記録媒体に複写した後、前記第１の記録媒体に記録されている静止画中の複写された静止画を消去することを特徴とする請求項１９記載の画像処理方法。
【請求項２２】
前記所定のプリント指定ファイルは、ＤＰＯＦファイルに準拠するファイル形式であることを特徴とする請求項１４，１５，１７〜２１のいずれかに記載の画像処理方法。
【請求項２３】
前記第１の記録媒体は、画像処理装置本体より着脱自在の不揮発性メモリ媒体で構成されることを特徴とする請求項１４〜２１のいずれかに記載の画像処理方法。
【請求項２４】
前記第２の記録媒体は、画像処理装置本体より着脱自在の不揮発性テープ媒体で構成されることを特徴とする請求項１９〜２１のいずれかに記載の画像処理方法。
【請求項２５】
前記撮像手段は、被写体を動画として撮像するビデオモードと、前記被写体を静止画として撮像するスチルモードとを有することを特徴する請求項１４，１６，１９のいずれかに記載の画像処理方法。
【請求項２６】
前記第１または第２の記録媒体に記録された所定のプリント指定ファイルをデータ処理装置に送信する送信ステップを有することを特徴とする請求項１４〜２５のいずれかに記載の画像処理方法。
【請求項２７】
請求項１４または１９に記載の画像処理方法を実行させるためのプログラムを格納したことを特徴とするコンピュータが読み取り可能な記憶媒体。
【請求項２８】
請求項１４または１９に記載の画像処理方法を実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、撮像された静止画あるいは動画を記録可能な記録媒体に所定のファイル形式で記述されるプリント指定ファイルを記憶して所定の画像処理を行う画像処理装置および画像処理方法および記憶媒体およびプログラムに関するものである。
【手続補正４】
【補正対象書類名】明細書
【補正対象項目名】０００８
【補正方法】変更
【補正の内容】
【０００８】
本発明は、上記の問題点を解決するためになされたもので、本発明の第１の目的は、撮像されて記録媒体に記録された画像に対して指定される所定のプリント指定ファイルが記録媒体に記録されている場合に、該所定のプリント指定ファイルに応じてプリント指定されている画像を再生制御することにより、所定のプリント指定ファイルの機能を拡張して、ユーザが指定した画像を自在に閲覧確認でき、所定のプリント指定ファイルを利用した多才な画像処理を利便性よく行える画像処理装置および画像処理方法および記憶媒体およびプログラムを提供することである。
【手続補正５】
【補正対象書類名】明細書
【補正対象項目名】０００９
【補正方法】変更
【補正の内容】
【０００９】
第２の目的は、複数の記録媒体を装着可能な画像処理装置において、いずれかの記録媒体から読み出される静止画あるいは撮像される静止画とが合成指示された場合に、該合成指示された内容の合成画像に対して所定のプリント指定ファイルを作成していずれかの記録媒体に登録して、該登録された所定のプリント指定ファイルに応じて各静止画あるいは撮像される静止画との合成画像を作成して再生表示することにより、所定のプリント指定ファイルの機能を拡張して、ユーザが指定した複数画像の合成画像を自在に閲覧確認でき、所定のプリント指定ファイルを利用した多才な画像処理を利便性よく行える画像処理装置および画像処理方法および記憶媒体およびプログラムを提供することである。
【手続補正６】
【補正対象書類名】明細書
【補正対象項目名】００１０
【補正方法】変更
【補正の内容】
【００１０】
第３の目的は、第１の記録媒体に記録する静止画に対するプリントの要否を記述した所定のプリント指定ファイルを作成し、該作成された所定のプリント指定ファイルを第１の記録媒体に登録した後、設定される複写モードに従い、所定のプリント指定ファイルに記述されている内容に従って第１の記録媒体に記録されている静止画を第２の記録媒体への複写処理を制御することにより、第１の記録媒体に記録されている所定のプリント指定ファイルを利用して記録されている静止画の複写処理を自動的に行え、所定のプリント指定ファイルを利用した多才な画像処理を利便性よく行える利便性に優れた画像処理装置および画像処理方法および記憶媒体およびプログラムを提供することである。
【手続補正７】
【補正対象書類名】明細書
【補正対象項目名】００３７
【補正方法】変更
【補正の内容】
【００３７】
本発明に係る第２７の発明は、第１４または第１９の発明の画像処理方法を実行させるためのプログラムをコンピュータが読み取り可能な記憶媒体に格納したことを特徴とする。
【手続補正８】
【補正対象書類名】明細書
【補正対象項目名】００３８
【補正方法】変更
【補正の内容】
【００３８】
本発明に係る第２８の発明は、第１４または第１９の発明の画像処理方法を実行させるプログラムであることを特徴とする。
【手続補正９】
【補正対象書類名】明細書
【補正対象項目名】００３９
【補正方法】削除
【補正の内容】
【手続補正１０】
【補正対象書類名】明細書
【補正対象項目名】００４０
【補正方法】削除
【補正の内容】
【手続補正１１】
【補正対象書類名】明細書
【補正対象項目名】００４１
【補正方法】削除
【補正の内容】
【手続補正１２】
【補正対象書類名】明細書
【補正対象項目名】００４２
【補正方法】削除
【補正の内容】
【手続補正１３】
【補正対象書類名】明細書
【補正対象項目名】００４３
【補正方法】削除
【補正の内容】
【手続補正１４】
【補正対象書類名】明細書
【補正対象項目名】００４４
【補正方法】削除
【補正の内容】
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】削除
【補正の内容】
【手続補正１９】
【補正対象書類名】明細書
【補正対象項目名】００４９
【補正方法】削除
【補正の内容】
【手続補正２０】
【補正対象書類名】明細書
【補正対象項目名】０１４０
【補正方法】変更
【補正の内容】
【０１４０】
【発明の効果】
以上説明したように、本発明によれば、撮像されて記録媒体に記録された画像に対して指定される所定のプリント指定ファイルを記録媒体に記録されている場合に、該所定のプリント指定ファイルに応じてプリント指定されている画像を再生制御するので、所定のプリント指定ファイルの機能を拡張して、ユーザがプリント指定した意図する順番で各画像を自在に閲覧再生表示可能となり、所定のプリント指定ファイルを利用した多才な画像処理を利便性よく行える。